(57)【要約】【課題】リソース要望者が、スケジュール、サービス品質、その他の条件面で、最適なリソース提供者をＰ２Ｐマッチングで検索し、リソース提供者も無理なく提供リソースの情報開示が可能なリソースの貸し出しを支援する。【解決手段】ボランティアサービス提供者のスケジュール帳５に記載のボランティア可能なスケジュールがスケジュール帳／フィルタ変換装置６でボランティアサービス提供フィルタ情報（意味情報）に変換され、意味情報ネットワーク２にフィルタとして設定される。ボランティアサービス提供者端末３の受信機能としてフィルタ７が設定される。ボランティアサービス要望者端末４がボランティアサービス提供者検索イベントを意味情報ネットワーク２に送出する。フィルタ７が該イベントに発火すると、端末３が自律起動して可能なスケジュールのデータを端末４に送信する。端末３と端末４間でマッチングが成立すれば遠隔ボランティア等が実行される。【選択図】    図１
2004362214.tif 000002
【特許請求の範囲】
【請求項１】
ＩＰ通信網と、ＩＰ通信網上の各端末にインストールされ、ヘッダに意味情報を付与したパケットであるイベントを受信した際に、内部で保持している意味情報であるフィルタによるルーティングテーブル情報に従い意味情報を転送していく意味情報ネットワークと、ボランティアサービス提供者端末と、ボランティアサービス要望者端末と、スケジュール帳と、スケジュール帳／フィルタ変換装置とを有するシステムにおいて、
ボランティアサービス提供者のボランティア可能なスケジュールを記載したスケジュール帳を前記スケジュール帳／フィルタ変換装置によってボランティアサービス提供フィルタ情報に変換するステップと、
該ボランティアサービス提供フィルタ情報を前記意味情報ネットワークおよび前記ボランティアサービス提供者端末にフィルタとして設定するステップと、
前記ボランティアサービス要望者端末がボランティアサービス提供者検索イベントを前記意味情報ネットワークに送出するステップと、
前記フィルタが該イベントに発火するステップと、
前記フィルタに接続の前記ボランティアサービス提供者端末が自律起動して該ボランティア可能なスケジュールのデータを該ボランティアサービス要望者端末に送信するステップとを有するＰ２Ｐリソース貸し出し支援方法。
【請求項２】
前記ボランティアサービス要望者端末が送信したボランティアサービス提供者検索イベントに発火したフィルタに接続する前記ボランティアサービス提供者端末が自律起動してボランティアサービス提供可能通知イベントを該ボランティアサービス要望者端末に返信する、請求項１に記載のＰ２Ｐリソース貸し出し支援方法。
【請求項３】
前記ボランティアサービス提供フィルタの意味情報がボランティアサービス評価情報を含む、請求項１または２に記載のＰ２Ｐリソース貸し出し支援方法。
【請求項４】
前記ボランティアサービス要望者端末はボランティアサービス提供者についてのサービス評価データを該ボランティアサービス提供者端末およびサービス評価情報／フィルタ変換装置に送信し、該サービス評価情報／フィルタ変換装置は該評価データを該ボランティアサービス提供者の端末が登録し設置したボランティアサービス提供フィルタの意味情報に追加して登録する、請求項３に記載のＰ２Ｐリソース貸し出し支援方法。
【請求項５】
その後の検索において該評価データを重み付け判定に用いる、請求項４に記載のＰ２Ｐリソース貸し出し支援方法。
【請求項６】
前記ボランティアサービス評価情報の、該ボランティアサービス提供者端末が登録し設置したボランティアサービス提供フィルタへの意味情報としての登録は、該サービス評価情報／フィルタ変換装置以外は不可能である、請求項４に記載のＰ２Ｐリソース貸し出し支援方法。
【請求項７】
ＩＰ通信網と、
ＩＰ通信網上の各端末にインストールされ、ヘッダに意味情報を付与したパケットであるイベントを受信した際に、内部で保持している意味情報であるフィルタによるルーティングテーブル情報に従い意味情報を転送していく意味情報ネットワークと、
ボランティアサービス提供者のボランティア可能なスケジュールが記載されたスケジュール帳と、
ボランティアサービス提供者端末と、
ボランティアサービス要望者端末と、
前記スケジュール帳の内容をボランティアサービス提供フィルタ情報に変換するスケジュール帳／フィルタ変換装置を有し、
前記ボランティアサービス提供フィルタ情報は前記意味情報ネットワークおよび前記ボランティアサービス提供者端末に設定され、前記ボランティアサービス要望者端末はボランティアサービス提供者検索イベントを前記意味情報ネットワークに送出し、前記フィルタが該イベントに発火して、前記ボランティアサービス要望者端末はボランティアサービス提供者のボランティア可能なスケジュールのデータを受信するＰ２Ｐリソース貸し出し支援システム。
【請求項８】
請求項７記載のＰ２Ｐリソース貸し出し支援システムにおけるボランティアサービス要望者端末であって、ボランティアサービス提供者検索イベントあるいはボランティアサービス提供可能通知イベントを前記意味情報ネットワークに送信する機能を含み、ボランティアサービスアプリケーションソフトおよびボランティアサービス要望アプリケーションソフトが搭載可能なボランティアサービス要望者端末。
【請求項９】
請求項７記載のＰ２Ｐリソース貸し出し支援システムにおけるボランティアサービス提供者端末であって、ボランティアサービス提供者のボランティア可能なスケジュールが記載されたスケジュール帳がスケジュール帳／フィルタ変換装置で変換されたボランティアサービス提供フィルタ情報が該端末の受信機能に設定されており、ボランティアサービスアプリケーションソフトおよびボランティアサービス要望アプリケーションソフトが搭載可能なボランティアサービス提供者端末。
【請求項１０】
請求項７記載のＰ２Ｐリソース貸し出し支援システムにおけるスケジュール帳／フィルタ変換装置であって、ボランティアサービス提供者のボランティア可能なスケジュールが記載されたスケジュール帳の内容をボランティアサービス提供フィルタ情報に変換し、該ボランティアサービス提供フィルタ情報を前記意味情報ネットワークおよび前記ボランティアサービス提供者端末にフィルタとして設定するスケジュール帳／フィルタ変換装置。
【請求項１１】
請求項７記載のＰ２Ｐリソース貸し出し支援システムにおけるサービス評価情報／フィルタ変換装置であって、ボランティアサービス評価データをボランティアサービス提供者端末が登録し設置したボランティアサービス提供フィルタの意味情報に追加して登録するサービス評価情報／フィルタ変換装置。
【請求項１２】
パケットモニタリング機能により特定の端末から集中して大量に特定のイベントタイプ、あるいはプロパティ、あるいはイベントデータのパケットを検出した場合に警告を発し、該警告は全てのフィルタに発火するイベントとして送信し、あるいは該警告文をＩＰ通信にて端末に送信する、請求項１１に記載のサービス評価情報／フィルタ変換装置。
【発明の詳細な説明】
【０００１】
【発明の属する技術分野】
本発明は、リソース貸し出し支援を行う方法およびシステムに関する。
【０００２】
【従来の技術】
従来のこの種のシステムシステムでは、リソース提供者とリソース要望者をマッチングさせるのにサーバが必要であった。
【０００３】
サーバなくマッチングさせる従来の技術として、各ピア間をイベントを意味情報に基づきルーチングさせる意味情報ネットワークがあるが、それに関する公知文献として非特許文献１があり、これは意味情報ネットワークの基本的な論文であるが、スケジュール帳を使用してＰ２Ｐマッチングを行うリソース貸し出し支援システムに言及するものではなかった。
【０００４】
【非特許文献１】
星合、小柳、ビルゲー、久保田、柴田、酒井
意味情報ネットワークアーキテクチャ  電子情報通信学会論文誌Ｂ
Ｖｏｌ．Ｊ８４−Ｂ  Ｎｏ３  ｐｐ４１１−４２４  ２００１年３月
【０００５】
【発明が解決しようとする課題】
本発明の目的は、リソース要望者が、スケジュール、サービス品質、その他の条件面で、最適なリソース提供者をＰ２Ｐマッチングで検索し、リソース提供者も無理なく提供リソースの情報開示が可能なリソースの貸し出しを支援する方法およびシステムを提供することである。
【０００６】
【課題を解決するための手段】
本発明のリソース貸し出し支援システムは、ＩＰ通信網と、ＩＰ通信網上の各端末にインストールされ、ヘッダに意味情報を付与したパケットであるイベントを受信した際に、内部で保持している意味情報であるフィルタによるルーティングテーブル情報に従い意味情報を転送していく意味情報ネットワークと、ボランティアサービス提供者のボランティア可能なスケジュールが記載されたスケジュール帳と、ボランティアサービス提供者端末と、ボランティアサービス要望者端末と、スケジュール帳の内容をボランティアサービス提供フィルタ情報に変換するスケジュール帳／フィルタ変換装置を有する。
【０００７】
ボランティアサービス提供者のスケジュール帳をスケジュール帳／フィルタ変換装置でボランティアサービス提供フィルタ情報に変換する。該ボランティアサービス提供フィルタ情報を意味情報ネットワークおよびボランティアサービス提供者端末にフィルタとして設定する。ボランティアサービス要望者端末はボランティアサービス提供者検索イベントを意味情報ネットワークに送出すると、該フィルタが該イベントに発火し、該フィルタに接続のボランティアサービス提供者端末が自律起動してボランティア可能なスケジュールのデータがボランティアサービス要望者端末に送信される。
【０００８】
本発明は、Ｐ２Ｐによる意味情報ネットワークとスケジュール帳を使用してリソース貸し出し支援を行うものである。リソース要望者がスケジュール、サービス品質、その他の条件面で最適なリソース提供者を、意味情報ネットワークを用いたＰ２Ｐマッチングで検索することで、リソース提供者も無理なく提供リソースの情報開示が可能なリソースの貸し出しを支援することができる。
【０００９】
【発明の実施の形態】
次に、本発明の実施の形態について図面を参照して説明する。
【００１０】
［第１の実施形態］
図１は本発明の第１の実施形態のＰ２Ｐリソース貸し出し支援システムの構成図である。
【００１１】
ＩＰ網１の物理的ネットワークの上にＯＳＩ（Ｏｐｅｎ  Ｓｙｓｔｅｍ  Ｉｎｔｅｒｃｏｎｎｅｃｔｉｏｎ）の７階層モデルでいう第７層としての意味情報ネットワーク２が張られており、これらのネットワークにボランティアサービス提供者端末３、ボランティアサービス要望者端末４、スケジュール帳／フィルタ変換装置６が接続されている。ボランティアサービス提供者はスケジュール帳５を保持・管理しており、スケジュール帳５にはボランティア可能なスケジュールが記載されている。スケジュール帳５としては電子手帳、ＰＤＡ（Ｐｅｒｓｏｎａｌ  Ｄｉｇｉｔａｌ  Ａｓｓｉｓｔａｎｔ）、ノート型パソコンのような電子データによるものであっても、通常の手書きの紙製手帳であってもよい。スケジュール帳／フィルタ変換装置６はスケジュール帳５の内容を意味情報であるボランティアサービス提供フィルタ情報に変換する。スケジュール帳５が手書きの紙製手帳の場合、スケジュール帳／フィルタ変換装置６はＯＣＲ（Ｏｐｔｉｃａｌ  Ｃｏｄｅ  Ｒｅａｄｅｒ）機能を備えていて手書き文字を読込むシステムが構成されている。該ボランティアサービス提供フィルタ情報は意味情報として意味情報ネットワーク２およびボランティアサービス提供者端末３にボランティアサービス提供フィルタ７として設定される。端末３と端末４にはボランティアサービスアプリケーションソフトが搭載されている。図２はスケジュール帳／フィルタ変換装置６による変換例を示している。図３はボランティアサービス提供フィルタ７に設定されるフィルタ条件の一例を示している。イベントタイプは“ボラマチ”であり、プロパティは“仏語／日本語同時通訳”と“ＮＧＯ国際ミーティング／会議”と“０３．０３．０１ａｍ；０３．０３．０５ｐｍ；０３．０３．２７ａｍ”とである。
【００１２】
一方、ボランティアサービス要望者端末４にはボランティアサービス要望アプリケーションソフトが搭載されていて、ボランティアサービス提供者検索イベントを作成して意味情報ネットワーク２に送出し、ボランティアサービス提供フィルタ７が該イベントに発火して、ボランティアサービス要望者端末４は該ボランティアサービス提供者の該ボランティア可能なスケジュールのデータを受信する。図４にはボランティアサービス提供者検索イベントの一例が示されている。イベントタイプは“ボラマチ”であり、プロパティは“仏語／日本語同時通訳”と“ＡＢＣ国際平和ミーティング”と“０３．０３．１５−０３．０３．３１”とであり、データは“日当５千円”と“交通費支給”と“東京／横浜”とである。イベントタイプ“ボラマチ”とプロパティ“仏語／日本語同時通訳”とが一致してボランティアサービス提供フィルタ７が該イベントに発火して、ボランティアサービス提供者端末３は該ボランティアサービス提供者検索イベントを受信する。
【００１３】
ボランティア提供者は２００３年３月２７日午前であれば“日当５千円”と“交通費支給”の条件で“ＡＢＣ国際平和ミーティング”における仏語／日本語同時通訳のボランティアを引き受けることとし、ボランティアサービス提供者端末３は“東京／横浜”、“大和相子”、“ｙａｍａｔｏ．ａｉｋｏ＠ａｂｃ．ｘｙｚ．ｃｏｍ”のデータを付加して図４に示すボランティアサービス提供可能通知イベントを意味情報ネットワーク２に送信する。
【００１４】
図５は本実施形態のシステムの動作を説明するフローチャートである。
ステップ１０１に、ボランティアサービス提供者はスケジュール帳５を作成する。ステップ１０２に、スケジュール帳５に記載のボランティア可能なスケジュールがスケジュール帳／フィルタ変換装置６でボランティアサービス提供フィルタ情報（意味情報）に変換される。ステップ１０３に、ステップ１０２で作成されたボランティアサービス提供フィルタ情報が意味情報ネットワーク２にフィルタとして設定される。ステップ１０４に、ボランティアサービス提供者端末３の受信機能としてフィルタ７が設定される。ステップ１０５に、ボランティアサービス要望者端末４がボランティアサービス提供者検索イベントを意味情報ネットワーク２に送出する。ステップ１０６に、フィルタ７がボランティアサービス提供者検索イベントに発火する。ステップ１０７に、ボランティアサービス提供者端末３が自律起動して可能なスケジュールのデータをボランティアサービス要望者端末４に送信する。あるいは、ボランティアサービス提供者端末３が自律起動してボランティアサービス提供可能通知イベントをボランティアサービス要望者端末４に送信する。ステップ１０８に、ボランティアサービス提供者端末３とボランティアサービス要望者端末４間でマッチングが成立すれば遠隔ボランティア等が実行される。
【００１５】
［第２の実施形態］
図６は本発明の第２の実施形態のＰ２Ｐリソース貸し出し支援システムの構成図である。
【００１６】
図６に示す第２の実施形態のシステムでは第１の実施形態のシステムにサービス評価情報／フィルタ変換装置８が追加され、ボランティアサービス要望者はボランティアサービス提供者のスケジュール、提供可能時間、提供可能ジャンルに加えて利用者評価情報を入手できるので、好みに応じたボランティアサービス提供者の検索が可能となる。ボランティアサービスを受けたボランティアサービス要望者はボランティアサービス要望者端末４のボランティアサービスアプリケーションを立ち上げ該ボランティアサービスのサービス評価データをボランティアサービス提供者端末３およびサービス評価情報／フィルタ変換装置８にＩＰ網１を通じて送信する。サービス評価情報／フィルタ変換装置８は該評価データを該ボランティアサービス提供者端末３が登録し設置したボランティアサービス提供フィルタ７の意味情報に追加して登録し、評価付ボランティアサービス提供フィルタ１７として設置し、ボランティアサービス要望者端末１４がボランティアサービス提供者検索イベントを送信して発火した際には重み付け判定データとして利用可能である。
【００１７】
図７は第２の実施形態のシステムの動作を説明するフローチャートである。
ステップ１０１に、ボランティアサービス提供者はスケジュール帳５を作成する。ステップ１０２に、スケジュール帳５に記載のボランティア可能なスケジュールがスケジュール帳／フィルタ変換装置６でボランティアサービス提供フィルタ情報（意味情報）に変換される。ステップ１０３に、ステップ１０２で作成されたボランティアサービス提供フィルタ情報が意味情報ネットワーク２にフィルタとして設定される。ステップ１０４に、ボランティアサービス提供者端末３の受信機能としてフィルタ７が設定される。ステップ１０５に、ボランティアサービス要望者端末４がボランティアサービス提供者検索イベントを意味情報ネットワーク２に送出する。ステップ１０６に、フィルタ７がボランティアサービス提供者検索イベントに発火する。ステップ１０７に、ボランティアサービス提供者端末３が自律起動してボランティアサービス提供可能通知イベントをボランティアサービス要望者端末４に送信する。ステップ１０８に、ボランティアサービス提供者端末３とボランティアサービス要望者端末４間でマッチングが成立すれば遠隔ボランティア等が実行される。ステップ１０９に、ボランティアサービス要望者端末４はボランティアサービス評価データをボランティアサービス提供者端末３およびサービス評価情報／フィルタ変換装置８に送信する。ステップ１１０に、ボランティアサービス提供者端末３は該ボランティアサービス評価データを受信する。ステップ１１１に、サービス評価情報／フィルタ変換装置８はボランティアサービス評価データを意味情報に変換する。ステップ１１２に、サービス評価情報／フィルタ変換装置８は評価データ意味情報を意味情報ネットワーク２とフィルタ７に既に登録済み意味情報に追加する。ステップ１１３に、評価付フィルタ１７が設定される。
【００１８】
ボランティアサービス評価データを受信して、ボランティアサービス提供フィルタ７を評価付ボランティアサービス提供フィルタ１７に変更する機能はサービス評価情報／フィルタ変換装置８のみがもっており、ボランティアサービス提供者端末３が登録し設置したフィルタ７の意味情報へのボランティアサービス評価データの追加登録は、サービス評価情報／フィルタ変換装置８以外は不可能である。
【００１９】
本発明のシステムにおける端末３，４，１４は情報通信端末、例えばパソコンであって、意味情報ネットワーク２上でイベントの送信機能およびフィルタの設定と該フィルタ経由でのイベント受信機能を持っている。
【００２０】
スケジュール帳／フィルタ変換装置６はボランティアサービス提供者のボランティア可能なスケジュールを記載のスケジュール帳５の内容をボランティアサービス提供フィルタ情報に変換して、該ボランティアサービス提供者は該ボランティアサービス提供フィルタ情報を意味情報ネットワーク２および該ボランティアサービス提供者端末にフィルタ７として設定する。スケジュール帳５はいわゆる電子手帳のようなものでも、ＰＤＡ（Ｐｏｒｔａｂｌｅ  Ｄａｔａ  Ａｄａｐｔｅｒ）やノートパソコンでもよいし、紙ベースの手帳でもよく、紙ベースの手帳の内容はＯＣＲ機能により読み込まれ、変換がスケジュール帳／フィルタ変換装置６で行われる。
【００２１】
［第３の実施形態］
図８は本発明の第３の実施形態のＰ２Ｐリソース貸し出し支援システムの構成図である。
【００２２】
図８に示す第３の実施形態のシステムではサービス評価情報／フィルタ変換装置８がパケットモニタリング部９をもっており、意味情報ネットワーク２において特定の端末から集中して大量に特定のイベントタイプ、あるいはプロパティ、あるいはイベントデータのパケットが送信された場合には、これを悪意パケットとして検出して警告を発し、該警告は全てのフィルタに発火するイベントとして送信され、あるいは警告文をＩＰ通信にて端末に送信する。なお、パケットモニタリング機能に関する公知文献として、浜田信  他：「自律分散ネットワークにおけるトレース機構の検討」２００１年電子情報通信学会Ｂ−６−３９がある。
【００２３】
図９は第３の実施形態のシステムの動作を説明するフローチャートである。
ステップ１０１からステップ１１３は第１、第２の実施形態の動作を説明するフローチャート（図５と図７）と同じである。ステップ１１４に、サービス評価情報／フィルタ変換装置８のパケットモニタリング部９は悪意パケットを検出して警告イベントを送信する。ステップ１１５に、意味情報ネットワーク２における全てのフィルタが発火して該フィルタを通して全端末に警告イベントが通知される。
【００２４】
［第４の実施形態］
図１０は本発明の第４の実施形態のＰ２Ｐリソース貸し出し支援システムの構成図である。
【００２５】
フィルタとしての設定は例えばスケジュール帳５と携帯電話端末１０を組み合わせて常時スケジュール帳５を携帯使用することにより、外出中も含めて常時最新のスケジュールをボランティアサービス提供フィルタ７に反映させることが可能である。図１０はこのような携帯使用の場合の実施形態のシステムであり、携帯電話端末１０にはスケジュール帳５がつながれており、無線経由で通信網１１に接続してスケジュール帳／フィルタ変換装置６に最新のスケジュールが送り込まれ、ボランティアサービス提供フィルタ７に意味情報としての最新のスケジュールが設定される。
【００２６】
以上の説明ではイベントのデータに設定された位置情報は例えば図４では“東京／横浜”であったが、特定の地点、例えば博物館の階段で車椅子の人が階段の登り降りの手助けボランティアサービス提供者がほしい場合には、位置情報として該博物館の階段のＧＰＳ（Ｇｌｏｂａｌ  Ｐｏｓｉｔｉｏｎｉｎｇ  Ｓｙｓｔｅｍ）緯度経度データをイベントデータに含め、図１０に図示の携帯電話端末１０経由で意味情報ネットワーク２に該イベントを送信し、ボランティアサービス提供者端末３は該ＧＰＳ緯度経度データを画面の地図上で表示できるような機能をもつボランティアサービスアプリケーションを搭載することで、状況を理解して近くにいてボランティアサービスが可能であればボランティアサービス提供可能イベントを送信する。
【００２７】
【発明の効果】
以上説明したように、本発明は下記の効果がある。
・ボランティアに限らず、人材募集、建設資材のリース、ＰＣの貸し出し、レンタカー等さまざまな分野に本発明を適用することができる。
・サーバを設けずに、ボランティアをする人・ボランティアを受ける人のＰ２Ｐマッチングを行うことができ、システム内にボトルネックが生じにくく、高いスケーラビリティを有するシステムが構築可能である。
・ボランティアをする人がわざわざボランティアスケジュールをセンタと調整して事前に登録する必要がなく、自らのスケジュール帳をそのまま使うことができる。また、そのため、ボランティア運営団体からスケジュールを強制されることなく、スケジュール提供者のスケジュールの空いている時間にあわせて、ボランティアができる。
・ボランティアを行う人のスケジュールの変更に臨機応変に対応できる。変更をセンタに通知する必要がないので、すぐに反映される。
・ボランティアサービスを受けた後、ボランティアサービスの評価を行うことができ、それをフィルタに重み付け判定の材料として反映させることで、ボランティア要望者の好みに応じた検索を実現することができる。
・イベントとフィルタのマッチングに、ＧＰＳなど位置情報を使えば、近くにいる人同士をマッチングさせることができ、効率的にボランティアを行うことができる。
【図面の簡単な説明】
【図１】本発明の第１の実施形態のＰ２Ｐリソース貸し出し支援システムの構成図である。
【図２】スケジュール帳／フィルタ変換装置６による変換例を示す図である。
【図３】第１の実施形態におけるボランティアサービス提供フィルタの一例を示す図である。
【図４】第１の実施形態におけるイベントの一例を示す図である。
【図５】第１の実施形態のシステムの動作を示すフローチャートである。
【図６】本発明の第２の実施形態のＰ２Ｐリソース貸し出し支援システムの構成図である。
【図７】第２の実施形態のシステムの動作を示すフローチャートである。
【図８】本発明の第３の実施形態のＰ２Ｐリソース貸し出し支援システムの構成図である。
【図９】第３の実施形態のシステムの動作を示すフローチャートである。
【図１０】本発明の第４の実施形態のＰ２Ｐリソース貸し出し支援システムの構成図である。
【符号の説明】
１    ＩＰ網
２    意味情報ネットワーク
３    ボランティアサービス提供者端末
４，１４    ボランティアサービス要望者端末
５    スケジュール帳
６    スケジュール帳／フィルタ変換装置
７    ボランティアサービス提供フィルタ
１７    評価付ボランティアサービス提供フィルタ
８    サービス評価情報／フィルタ変換装置
９    パケットモニタリング部
１０    携帯電話端末
１１    通信網
１０１〜１１５  ステップ
【図１】
2004362214.tif 000003
【図２】
2004362214.tif 000004
【図３】
2004362214.tif 000005
【図４】
2004362214.tif 000006
【図５】
2004362214.tif 000007
【図６】
2004362214.tif 000008
【図７】
2004362214.tif 000009
【図８】
2004362214.tif 000010
【図９】
2004362214.tif 000011
【図１０】
2004362214.tif 000012